(57)【要約】【課題】仕様の異なる部品の点数を少なくしながら、収納する商品のサイズや量など応じて商品収納用の区画スペースを様々に変更することがきる実用性に優れた包装箱を提供する。【解決手段】箱本体１の内部に中仕切り２を立設固定して、箱内に複数の収納区画Ｓを形成し、別組みした内箱３を各収納区画Ｓに位置移動可能に嵌込み装填してある。【選択図】図２
0003182231.tif 000002
【実用新案登録請求の範囲】
【請求項１】
箱本体の内部に中仕切りを立設固定して、箱内に複数の収納区画を形成し、
別組みした内箱を各収納区画に位置移動可能に嵌込み装填してある、
ことを特徴とする包装箱。
【請求項２】
複数の前記収納区画を、前記中仕切りを挟んで並列形成するとともに、各収納区画の前記並列方向での横幅を同一にしてある、
請求項１に記載の包装箱。
【請求項３】
前記内箱から外方に舌片を突出形成するとともに、この舌片が係入される切欠きを前記中仕切りと箱本体の側壁との少なくとも一方に形成してある、
前記請求項１または２に記載の包装箱。
【請求項４】
前記内箱の底部を、複数の底フラップの組み重ねによって形成するとともに、この底フラップの一部を箱内方に起立可能とした、
請求項１ないし３のいずれかに記載の包装箱。
【請求項５】
前記内箱における側壁の上端に、その側壁の全体に折り重ね可能な上フラップを連設してある、
請求項１ないし４のいずれかに記載の包装箱。
【請求項６】
前記内箱における開口を、一組の対向する側壁に連設した前記上フラップの内折りによって閉塞可能とした、
請求項５に記載の包装箱。
【請求項７】
前記箱本体における側壁を、箱素材における底部の四辺から折り上げた二重壁構造とした、
請求項１ないし６のいずれかに記載の包装箱。
【請求項８】
前記箱本体における側壁を、箱素材における底部の四辺から折り上げた中空の二重壁構造にするとともに、前記底部の上に敷設配備した補強部材の四辺から、前記側壁の内部に挿入される側壁部を折り上げ起立してある、
請求項１ないし７のいずれかに記載の包装箱。
【考案の詳細な説明】
【技術分野】
【０００１】
本考案は、主として、菓子などの小物商品を収納するのに好適な包装箱に関する。
【背景技術】
【０００２】
菓子などの小さい商品を体裁よく並べて収納する包装箱として、例えば、特許文献１に示されているように、紙製の打抜き素材を折り上げて形成した箱本体の内部に、対向する側壁に亘る中仕切りを立設固定し、箱内に複数の収納区画を形成するよう構成したものが知られている。
【先行技術文献】
【特許文献】
【０００３】
【特許文献１】実開昭４９−５２９２８号公報
【考案の概要】
【考案が解決しようとする課題】
【０００４】
上記構成の包装箱においては、商品を収納する区画が中仕切りによって規制されるので、異なるサイズの複数種の商品を各区画に収納するためには、そのサイズに応じた仕様の中仕切りを設計、準備する必要がある。
【０００５】
このため、例えば、種類やサイズが多い菓子類をユーザーの好み等に応じて詰め合わせるような場合には、多種類の中仕切りを予め用意しておく必要があり、中仕切り打ち抜き加工用の金型を多数用いることになって、包装箱のコストが高いものとなる。また、多種類の中仕切りを準備保管するのに多くのスペースを要するとともに、保管した中仕切りから所要の仕様のものを探し出すのにも手間がかかるものになる。
【０００６】
本考案は、このような実情に着目してなされたものであって、仕様の異なる部品の点数を少なくしながら、収納する商品のサイズや量などに応じて商品収納用の区画スペースを様々に変更することがきる実用性に優れた包装箱を提供することを目的とする。
【課題を解決するための手段】
【０００７】
上記目的を達成するために、本考案では次のように構成している。
【０００８】
（１）本考案に係る包装箱は、箱本体の内部に中仕切りを立設固定して、箱内に複数の収納区画を形成し、別組みした内箱を各収納区画に位置移動可能に嵌込み装填してある、ことを特徴とする。
【０００９】
この構成によると、中仕切りによって形成された複数の収納区画の任意の位置に、同一仕様の内箱を任意の数だけ装填して、商品収納用の区画スペースを数多くの仕様に変更設定することができる。
【００１０】
（２）本考案の好ましい実施態様では、複数の前記収納区画を、前記中仕切りを挟んで並列形成するとともに、各収納区画の前記並列方向での横幅を同一にしてある。
【００１１】
この構成によると、収納区画に収まる一種類の内箱を準備しておくだけで、商品収納用の区画スペースを数多くの仕様に変更設定することができる。
【００１２】
（３）本考案の他の実施態様では、前記内箱から外方に舌片を突出形成するとともに、この舌片が係入される切欠きを前記中仕切りと箱本体の側壁との少なくとも一方に形成してある。
【００１３】
この構成によると、装填した内箱を、舌片と切欠きとの係合で、収納区画の任意の位置に保持しておくことができ、商品を詰め込みしている際、等において内箱が不用意に動いて区画スペースの仕様が変ってしまうようなことがない。
【００１４】
（４）本考案の他の実施態様では、前記内箱の底部を、複数の底フラップの組み重ねによって形成するとともに、この底フラップの一部を箱内方に起立可能としている。
【００１５】
この構成によると、起立させた底フラップの一部を内箱の中での小仕切りに使用することができ、内箱の中での商品の混合や移動を回避するのに利用できる。
【００１６】
（５）本考案の他の実施態様では、前記内箱における側壁の上端に、その側壁の全体に折り重ね可能な上フラップを連設してある。
【００１７】
この構成によると、上フラップが折り重ねられた側壁の剛性が高いものになるとともに、水平外方に張り出すように折り出した上フラップをスペーサとしても利用することができる。例えば、箱本体の側壁と内箱との間、あるいは、間隔をもって収納区画に装着した内箱同士の間、などに商品収納に使われない空間ができる場合、この空間を水平外方に折り出した上フラップで塞ぎ、見栄え良く商品収納を行うことができる。
【００１８】
（６）本考案の他の実施態様では、前記内箱における開口を、一組の対向する側壁に連設した前記上フラップの内折りによって閉塞可能としている。
【００１９】
この構成によると、内箱を箱本体に装填して各種商品の小分け収納に使用するほかに、単独で小さい商品の包装箱としても利用することができる。
【００２０】
（７）本考案の更に他の実施態様では、前記箱本体における側壁を、箱素材における底部の四辺から折り上げた二重壁構造としている。
【００２１】
この実施態様によると、箱本体は、その側壁が二重壁構造の丈夫なものとなる。
【００２２】
（８）本考案の他の実施態様では、前記箱本体における側壁を、箱素材における底部の四辺から折り上げた中空の二重壁構造にするとともに、前記底部の上に敷設配備した補強部材の四辺から、前記側壁の内部に挿入される側壁部を折り上げ起立してある。
【００２３】
この構成によると、箱本体は、その底部および中空構造の側壁が、一連の補強部材で補強された丈夫なものとなり、収納した商品を安全に収納、保管、あるいは、運搬することができる。
【考案の効果】
【００２４】
このように、本考案によれば、仕様の異なる部品の点数を少なくしながら、収納する商品のサイズや量など応じて商品収納用の区画スペースを様々に変更することがきる実用性に優れた包装箱を提供することができる。
【図面の簡単な説明】
【００２５】
【図１】第１例の包装箱を示す斜視図である。
【図２】箱本体及びこれに装填される部材を示す斜視図である。
【図３】包装箱の一部を拡大した縦断面図である。
【図４】箱素材の展開平面図である。
【図５】箱素材の斜視図である。
【図６】補強部材の展開斜視図である。
【図７】箱本体の組上げ過程を示す斜視図である。
【図８】箱本体の組上げ過程を示す斜視図である。
【図９】中仕切りの展開斜視図である。
【図１０】組上げた中仕切りの斜視図である。
【図１１】内箱素材の展開斜視図である。
【図１２】内箱の組上げ過程を示す斜視図である。
【図１３】内箱の組上げ過程を示す斜視図であり、（ａ）は上方から見た斜視図、（ｂ）は底方から見た斜視図である。
【図１４】組上げた内箱の斜視図であり、（ａ）は上方から見た斜視図、（ｂ）は部材の一部を変形させた使用形態の斜視図である。
【図１５】他の使用形態にした内箱の斜視図である。
【図１６】内箱の装填形態の例を示す概略縦断面図である。
【図１７】第２例の包装箱を示す分解斜視図である。
【図１８】別実施例の概略平面図である。
【考案を実施するための形態】
【００２６】
本考案に係る包装箱の第１例が図１〜図１６に示されており、以下その詳細を図面に基づいて説明する。
【００２７】
図１に示すように、この包装箱は、平面視で長方形に形成された浅い箱本体１と、箱内部を２つの収容区画Ｓに仕切る中仕切り２と、各収納区画Ｓに適宜嵌め込み装着される内箱３と、箱本体１に被せられる上蓋４とで構成されており、各部材の詳細な構造は以下のようである。
【００２８】
〔箱本体１〕
箱本体１は、基本的には、図４，図５に示す紙製の箱素材５と、図８中に示される後述の繋ぎ片６とを用いて組上げられるものであって、長方形の短辺をなす側壁７と長辺をなす側壁８がそれぞれ適当な厚さ（例えば、数ｍｍ程度）を有する中空構造に構成されている。また、この例では、箱本体の強度を確保するために、図６に示す補強材９が箱本体１の底部および側壁７，８の内部に組み込まれる。
【００２９】
箱素材５は、長方形の底部５ａの短辺に、側壁７を構成する外側壁７ａ、上端縁部７ｂ、内側壁部７ｃ、および、折返し下端部７ｄが連設されるとともに、底部５ａの長辺に、側壁８を形成する外側壁部８ａ、上端縁部８ｂ、内側壁部８ｃ、および、折返し下端部８ｄが連設された形状に打ち抜き裁断されている。また、外側壁部７ａ，８ａの隣接する端部同士が折り込み部５ｂで繋がれ、かつ、内側壁部７ｃの両端からは連結片５ｃが延出されている。また、この実施例では、箱素材５は、表面だけが印刷などの処理を施した化粧面とされているが、化粧面でなくてもよい。
【００３０】
図６に示すように、補強材９には、板紙を打ち抜き裁断した剛性の高いものが用いられ、長方形の底部９ａの四周辺に側壁部９ｂ，９ｃを連設した形状に打ち抜き裁断されており、側壁部９ｂ，９ｃを起立させて箱状に折り上げた状態において、その外形が箱素材５の底板５ａの外形に合致するようになっている。なお、箱状に折り上げる際、四隅のコーナー部は、側壁部９ｂの両端部を折り込んだ丈夫なものに形成される。
【００３１】
箱本体１の組上げにおいては、先ず、図７に示すように、化粧面でない裏面を上向きにした箱素材５の上に、箱状に折り上げた補強材９を重ね置き、次いで、図８に示すように、四隅の折り込み部５ｂを内向きに折り込むとともに、短辺の側壁７をなす外側壁部７ａ、上端縁部７ｂ、内側壁部７ｃを、補強部材９の側壁部９ｂを上方から囲い込むように折り込む。また、これと同時に、内側壁部７ｃの両端に連設した連結片５ｃを内方に折り曲げるとともに、突き合わせ対向される連結片５ｃのスリット１０と、繋ぎ片６のスリット１１を差し込み交差させることで、連結片５ｃ同士を一連に連結する。
【００３２】
次いで、箱素材５の長辺の側壁８をなす外側壁部８ａ、上端縁部８ｂ、内側壁部８ｃを、補強部材９の側壁部９ｃ、および、一連に連結した連結片５ｃを上方から囲い込むように折り込んで、補強材９の側壁部９ｂを内装した中空の側壁８を形成する。
【００３３】
以上の手順によって、底部および側壁７，８を補強部材９で補強した箱本体１の組上げが完了する。
【００３４】
〔中仕切り２〕
中仕切り２は、図９に示す紙製の仕切り素材１２の中央部を折り込んで形成されたものであり、図１０に示すように、箱本体１の底部全面に亘って敷設される基部１２ａの中央に、折り重ね起立された中仕切り２が立設された形態となっている。このように構成された中仕切り２を箱本体１に挿入敷設することで、箱本体１の内部に、同一横幅の細長い２つの収納区画Ｓが並列形成される。
【００３５】
また、起立された中仕切り２の両端には係止爪１３が突設され、箱本体１における対向する側壁７の内側側壁部５ｃに形成された切欠き１４に前記係止爪１３を係入することで、中仕切り２の箱本体１からの外れ、および、横倒れが阻止される。
【００３６】
〔内箱３〕
内箱３は、図１１に示す紙製の箱素材１５を用いて組上げられる。箱素材１５は、側壁１６，１７を交互に連設するとともに、各側壁１６，１７の上端および下端に、上フラップ１８，１９と底フラップ２０，２１をそれぞれ連設し、かつ、側壁１６の一端にのり代２２を連設した形状に打ち抜き裁断したものが用いられる。
【００３７】
内箱３の組上げにおいては、先ず、図１２に示すように、側壁１６，１７を折り曲げるとともに、のり代２２を介して両端の側壁１６，１７を連結して、側壁１６，１７を角筒状に形成し、次いで、図１３に示すように、底フラップ２０，２１を内方に折り込むとともに、互い違いに差し重ねて底部を形成する。この際、底フラップ２０における重なり部位の裏面を、相手の底フラップに貼り付けることで、固定された底部が形成される。そして、図１４に示すように、各上フラップ１８，１９を、箱内方に折り込んで側壁１６，１７の全体に重ね合わせることで、内箱３の組上げが完了する。
【００３８】
ここで、箱素材１５は、箱外面となる表面のみが化粧面に形成されており、上記のように、上フラップ１８，１９を箱内方に折り込むことで、内箱３の四方の内面全体が化粧面となる。
【００３９】
また、この内箱３は、図１に示すように、その横方向の幅ｗ1が前記収納区画Ｓの横幅ｗ0に相当する寸法に設定されるとともに、縦方向の幅ｗ2が収納区画Ｓの縦長さＬの整数分の１（この例では３分の１）に相当する寸法に設定されており、横向き姿勢の内箱３を、各収納区画Ｓに複数個（この例では３個）並べて挿入することができるようになっている〔図１６(ａ）参照〕。
【００４０】
また、内箱３における一方の横向きの側壁１７の下端から舌片２３が突設されるとともに、箱本体１における長辺をなす側壁８の下端と、中仕切り２の下端には、内箱３の舌片２３が係入される切欠き２４，２５がそれぞれ形成されており、舌片２３を切欠き２４，２５に係入することで、内箱３が収納区画Ｓから抜け出すことが阻止されるようになっている。
【００４１】
そして、側壁８の切欠き２４は、収納区画Ｓの長手方向５箇所に形成されており、収納区画Ｓにおける長手方向両端の２箇所と中央側の３箇所との５箇所において、内箱３を任意に係止保持しておくことができるようになっている。
【００４２】
また、中仕切り２の切欠き２５は、収納区画Ｓの長手方向に沿って長く形成されており、舌片２３を中仕切り２側に向けた姿勢で収納区画Ｓに挿入して切欠き２５に係止した内箱３を、収納区画Ｓの長手方向両端箇所から中央側までの一定範囲において任意に移動することができるようになっている。
【００４３】
また、図１４（ｂ）に示すように、底フラップ２０の一部２０ａは折り出し起立可能に構成されており、起立した部位２０ａを小仕切りとして利用することが可能となっている。
【００４４】
また、図１６（ｂ），（ｃ）に示すように、箱本体１の側壁と内箱３との間、あるいは、隣接する内箱３同士の間に商品を収納しない空隙ｃができる場合、外方に向けて水平に張り出した姿勢にした上フラップ１８を、空隙ｃを埋めるスペーサとして利用することもできる。
【００４５】
また、図１５に示すように、対向する上フラップ１８を内向き水平に折ることで、内箱３の開口を閉じることができるように内箱３の各寸法が設定されており、内箱３を小型の包装箱として単独で使用することも可能となっている。
【００４６】
本考案に係る包装箱は以上のように構成されたものであり、箱本体１の収納区画Ｓに挿入する内箱３の位置、および、個数を任意に選択することで、収納区画Ｓを種々の仕様で仕切ることができ、大きさや長さの異なった菓子などの商品を客の要望などに応じて詰め合わせ収納することが容易となる。
【００４７】
図１７に、本考案に係る包装箱の第２例が示されている。
【００４８】
この例の箱本体１、中仕切り２、および、内箱３の基本的な構成は上記第１例と同様であるが、その一部が以下のように改造されている。
【００４９】
すなわち、この例では、内箱３の両側壁１７の下端から舌片２３が突設されるとともに、箱本体１における側壁８と中仕切り２にそれぞれ対向する切欠き２４，２５が形成され、内箱３を収納区画Ｓの長手方向の両端と中央の３箇所においてのみ、両舌片２３を介して係止保持することができるものとなっている。
【００５０】
また、この例の内箱３は、全側壁１６，１７の内面と底面が化粧面となるように、箱素材の片面が化粧面に形成されるとともに、舌片２３を備えない側の対向する一対の側壁１６のみに上フラップ１８が連設され、この上フラップ１８を側壁の外側に折り重ねることで、上フラップ１８の化粧面で側壁１６を隠すことになり、収納区画Ｓに長手方向の一部にのみ内箱３を装填した際に、露出する側壁面を見栄えのよい化粧面とすることができる。
【００５１】
［他の実施例］
本考案は、以下のような形態で実施することもできる。
【００５２】
（１）一方の側壁１７にのみ舌片２３を備えた第１例の内箱３を使用する場合、舌片２３を係入する切欠きを、箱本体１の側壁８、あるいは、中仕切り２のいずれか一方にのみ形成した形態で実施することができる。
【００５３】
（２）内箱３における底フラップの一部を起立させて小仕切りとする機能は省略してもよい。
【００５４】
（３）複数の中仕切り２を互いに平行に立設して、同一横幅の収納区画Ｓを３ないし数個並列形成して、各収納区画Ｓに同一仕様の内箱３を任意の位置に、任意の個数だけ装填する形態で実施することもできる。
【００５５】
（４）並列した収納区画Ｓの横幅を異なったものにし、それぞれの横幅に合った内箱３を準備して実施することもできる。例えば、図１８に示すように、３個の収納区画Ｓを並列形成する場合、平面視で長方形に形成した内箱３の幅ｗ1に対応した小さい幅Ｗ01の収納区画Ｓと、内箱３の幅ｗ2に対応した大きい幅ｗ02の収納区画Ｓを並列形成することで、一種類の仕様の内箱３の縦横に向きを変えて各収納区画Ｓに装填する形態で実施することも可能である。ただし、この場合、内箱３の縦横の両面から舌片２３を突設しておき、内箱３の向きを変えても、側壁８の切欠き２４、あるいは、中仕切２の切欠き２５のいずれかに舌片２３を係止して、装填した内箱３を係止保持させるようにすることが望ましい。
【００５６】
（５）箱本体１の大きさや、箱素材５の材質によっては、補強部材９を用いることなく実施することもできる。
【００５７】
（６）上記実施例は、箱本体１に上蓋４を被せて包装用箱を閉じる形態を例示しているが、箱本体における側壁の上端に上蓋用のフラップを連設、あるいは、別付けした形態で実施することもできる。
【符号の説明】
【００５８】
１              箱本体
２              中仕切り
３              内箱
５              箱素材
５ａ            底部
７              箱本体の側壁
８              箱本体の側壁
９              補強部材
９ａ            側壁部
９ｂ            側壁部
１６            内箱の側壁
１７            内箱の側壁
１８            内箱の上フラップ
１９            内箱の上フラップ
２０            内箱の底フラップ
２１            内箱の底フラップ
２３            舌片
２４            切欠き
２５            切欠き
Ｓ              収納区画
【図１】
0003182231.tif 000003
【図２】
0003182231.tif 000004
【図３】
0003182231.tif 000005
【図４】
0003182231.tif 000006
【図５】
0003182231.tif 000007
【図６】
0003182231.tif 000008
【図７】
0003182231.tif 000009
【図８】
0003182231.tif 000010
【図９】
0003182231.tif 000011
【図１０】
0003182231.tif 000012
【図１１】
0003182231.tif 000013
【図１２】
0003182231.tif 000014
【図１３】
0003182231.tif 000015
【図１４】
0003182231.tif 000016
【図１５】
0003182231.tif 000017
【図１６】
0003182231.tif 000018
【図１７】
0003182231.tif 000019
【図１８】
0003182231.tif 000020